(57)【要約】【課題】フロントカバーを安定した状態で装着固定することができ、見栄えのよい魚釣用リールを提供する。【解決手段】リール本体１の前部の側枠２ａ，２ｂ間に、ハンドル７の回転操作に連動して左右に往復動するラインガイド１８を設け、ラインガイド１８の前方において側枠２ａ，２ｂ間に装着されるフロントカバー３０を設けた魚釣用リールであって、フロントカバー３０は、側枠２ａ，２ｂ間に配置される支柱部３１と、支柱部３１の両端部から後方へ延出する一対の腕部３２と、を備え、一対の腕部３２のうち、少なくとも片側の腕部３２の後端部３３と側枠２ａ（２ｂ）との合わせ面には、一対の後端部３３同士を所定の間隔に補正する補正手段が設けられている構成とした。【選択図】図６
2014166151.tif 000002
【特許請求の範囲】
【請求項１】
リール本体の前部の側枠間に、ハンドルの回転操作に連動して左右に往復動するラインガイドを設け、前記ラインガイドの前方において前記側枠間に装着されるフロントカバーを設けた魚釣用リールであって、
前記フロントカバーは、前記側枠間に配置される支柱部と、前記支柱部の両端部から後方へ延出する一対の腕部と、を備え、
一対の前記腕部のうち、少なくとも片側の前記腕部の後端部と前記側枠との合わせ面には、一対の前記後端部同士を所定の間隔に補正する補正手段が設けられていることを特徴とする魚釣用リール。
【請求項２】
前記補正手段は、前記後端部と前記側枠との合わせ面の少なくとも一方に傾斜面が形成されてなり、
前記傾斜面は、前記側枠間に前記フロントカバーを組み付ける過程において、前記後端部同士をその間隔が広がる方向に補正することを特徴とする請求項１に記載の魚釣用リール。
【請求項３】
前記傾斜面は、テーパ面で形成されていることを特徴とする請求項２に記載の魚釣用リール。
【発明の詳細な説明】
【技術分野】
【０００１】
本発明は、リール本体の側板間の前方にフロントカバーを有する両軸型の魚釣用リールに関する。
【背景技術】
【０００２】
両軸型の魚釣用リールは、一般的に、リール本体の左右側板間に回転自在に支持されるスプールを備えており、このスプールに対して釣糸を平行に巻回するレベルワインド機構を備えている。レベルワインド機構は、ハンドルの回転操作に連動して左右に往復動する釣糸案内体を有しており、釣糸案内体には、釣糸を案内するラインガイドが設けられている。
【０００３】
従来、釣糸案内部（ラインガイド）の強度的保護やリール本体を握持した際の手の指を保護するために、釣糸案内部の前方の左右側板間にフロントカバーを装着したものが知られている（例えば、特許文献１参照）。
【０００４】
また、フロントカバーとしては、平面視略コ字形状に形成されたものも知られており、このフロントカバーは、左右の側枠間に配置される支柱部と、この支柱部の両端部から後方へ向けて延出する一対の腕部と、を備えている。一対の腕部は、左右の側枠に装着固定される。
【先行技術文献】
【特許文献】
【０００５】
【特許文献１】特開平１１−１１３４６１号公報
【発明の概要】
【発明が解決しようとする課題】
【０００６】
ところで、フロントカバーは、軽量化のため、樹脂を含む材料で形成されることが主流となっており、また、リール前部のデザインに合わせてその形状も複雑化してきている。このため、成形時にフロントカバーを所望の形状に形成することが難しくなってきており、変形を生じてしまうおそれがあった。
フロントカバーに変形が生じてしまうと、フレームに装着固定する際に隙間や段差が生じて見栄えが悪くなるとともに、安定した状態で装着固定することが難しくなるため、これを改善したいという要望があった。
なお、このことは、フロントカバーが金属製である場合にも、生じ得るおそれがあった。
【０００７】
本発明は、前記課題を解決するためになされたものであり、フロントカバーを安定した状態で装着固定することができ、見栄えのよい魚釣用リールを提供することを目的とする。
【課題を解決するための手段】
【０００８】
前記目的を達成するために本発明の魚釣用リールは、リール本体の前部の側枠間に、ハンドルの回転操作に連動して左右に往復動するラインガイドを設け、前記ラインガイドの前方において前記側枠間に装着されるフロントカバーを設けた魚釣用リールであって、前記フロントカバーは、前記側枠間に配置される支柱部と、前記支柱部の両端部から後方へ延出する一対の腕部と、を備え、一対の前記腕部のうち、少なくとも片側の前記腕部の後端部と前記側枠との合わせ面には、一対の前記後端部同士を所定の間隔に補正する補正手段が設けられていることを特徴とする。
ここで、合わせ面とは、腕部の後端部と側枠とがリール本体の左右方向（ラインガイドが往復動する方向）に重ね合わされる面を言う。
【０００９】
この魚釣用リールによれば、リール本体の前部の側枠間にフロントカバーを取り付ける際に、補正手段によって一対の腕部の後端部同士の間隔が補正されるようになり、後端部同士が所定の間隔に補正された状態でフロントカバーが側枠間に装着されることとなる。
【００１０】
また、本発明は、「前記補正手段は、前記後端部と前記側枠との合わせ面の少なくとも一方に傾斜面が形成されてなり、前記傾斜面は、前記側枠間に前記フロントカバーを組み付ける過程において、前記後端部同士をその間隔が広がる方向に補正する」ことを特徴とする。
【００１１】
この魚釣用リールによれば、フロントカバーの腕部の後端部同士の間隔が狭まる方向に変形していたとしても、側枠間にフロントカバーを組み付ける過程において、後端部同士の間隔が広がる方向に補正されるようになり、後端部同士が所定の間隔に補正された状態でフロントカバーが側枠間に装着されることとなる。
【００１２】
また、本発明は、「前記傾斜面は、テーパ面で形成されている」ことを特徴とする。
【００１３】
この魚釣用リールによれば、テーパ面により、腕部の後端部と側枠との突き合わせがスムーズに行われるようになり、側枠間にフロントカバーを組み付ける過程において、より好適に後端部同士の間隔が広がる方向に補正されることとなる。
【発明の効果】
【００１４】
本発明によれば、後端部同士が所定の間隔に補正された状態で側枠間に装着されるので、仮に成形時においてフロントカバーに変形が生じていたとしても、その変形を補正しつつフロントカバーを側枠間に好適に装着することができる。したがって、フロントカバーと側枠との間に隙間や段差が生じ難くなり、フロントカバーを側枠に安定した状態で装着固定することができる。これにより、見栄えがよく製品精度の高い魚釣用リールが得られる。
【００１５】
また、成形時においてフロントカバーの腕部の後端部同士の間隔が狭まる方向に変形していたとしても、傾斜面により後端部同士の間隔を広げる方向に補正しつつフロントカバーを側枠間に好適に装着することができる。
また、補正手段は、後端部と側枠との合わせ面の少なくとも一方に傾斜面が形成されてなるので、後端部同士の間隔を広げる方向の補正がスムーズに行われるようになり、フロントカバーのスムーズな装着が実現される。
【００１６】
また、傾斜面がテーパ面とされているので、合わせ面により後端部同士の間隔をスムーズに広げることができ、フロントカバーのよりスムーズな装着が実現される。
【図面の簡単な説明】
【００１７】
【図１】本発明の一実施形態に係る魚釣用リールの下面側から見た内部構造図である。
【図２】（ａ）はフロントカバーを装着したリール本体の前面図、（ｂ）はフレームの前面図である。
【図３】（ａ）は魚釣用リールの側面図、（ｂ）は左側板およびフロントカバーを取り外した状態の魚釣用リールの側面図である。
【図４】（ａ）は傾斜面を示す前面拡大図、（ｂ）は前面斜め下方から見た傾斜面を示す斜視図である。
【図５】フロントカバーを示す図であり、（ａ）は上面図、（ｂ）は左側面図、（ｃ）は前面図、（ｄ）は後面図である。
【図６】フロントカバーの傾斜面とフレームの傾斜面との対応関係を示す前面図である。
【図７】フロントカバーを装着する際の様子を示した斜視図である。
【発明を実施するための形態】
【００１８】
以下、本発明に係る魚釣用リールの実施形態について図面を参照しながら説明する。なお、以下の説明において、「前後」「左右」を言うときは、図１に示した方向を基準とし、「上下」を言うときは、図２に示した方向を基準とする。なお、説明において、同一の要素には同一の符号を用い、重複する説明は省略する。
【００１９】
図１に示すように、魚釣用リールのリール本体１は、左右一対の側枠２ａ，２ｂを複数の支柱２ｃ（図２（ａ）（ｂ）参照、以下同じ）で連結して一体の枠体構造を形成するフレーム２を有し、この側枠２ａ，２ｂのそれぞれの外側に、左側板３ａおよび右側板３ｂを取り付けてハウジングとして形成される。
ここで、左側の側枠２ａと左側板３ａとの間、右側の側枠２ｂと右側板３ｂとの間には内部空間がそれぞれ形成され、このうち側枠２ａと左側板３ａとの間に形成される内部空間には、リール本体１の構成要素としてバックラッシュ防止装置６等が設置されている。また、右側の側枠２ｂと右側板３ｂとの間に形成される内部空間には、駆動機構８、クラッチ機構９、連結機構１０等が設置されている。
【００２０】
スプール５は、ハンドル７を回転操作することによって回転させることができるように構成されており、ハンドル７は、右側板３ｂから突出したハンドル軸７ａの端部に取り付けられて、右側板３ｂとの間に介在された逆転防止機構７ｂ（転がり式一方向クラッチ）によって、クラッチＯＮ操作時に釣糸巻き取り方向にのみ回転可能となっている。
【００２１】
バックラッシュ防止装置６は、スプール軸５ｃの端部に設けられており、公知の構造により、スプール軸５ｃの過回転を防止して、釣糸放出時のバックラッシュを防止する。
【００２２】
駆動機構８は、公知のように、ハンドル軸７ａに回転可能に支持された駆動歯車８ａと、この駆動歯車８ａに噛合するピニオン８ｂとを備えている。ピニオン８ｂは、スプール軸５ｃと同軸上に設置されており、ピニオン軸８ｃに沿って軸方向に移動可能となっている。また、ピニオン８ｂの外周には、円周溝８ｄが形成されており、この円周溝８ｄに、クラッチ機構９のヨーク９ｄが係合して、ピニオン８ｂを軸方向に移動させるようになっている。すなわち、ピニオン８ｂが軸方向に移動することで、スプール軸５ｃとの間で継脱がなされ、動力伝達状態（クラッチＯＮ状態）／動力遮断状態（クラッチＯＦＦ状態）に切り換えられるようになっている。
【００２３】
スプール５の前方において、側枠２ａ，２ｂ間には、レベルワインド機構１５が配置されている。レベルワインド機構１５は、駆動機構８、連結機構１０を介して回転駆動される螺軸１６と、螺軸１６に装着されて左右方向に往復動可能に設けられた図示しない釣糸案内体と、この釣糸案内体に設けられたラインガイド１８（図３（ａ）参照）とを備えている。
螺軸１６は、側枠２ａ，２ｂ間に回転可能に支持されており、駆動機構８を介して回転駆動されるようになっている。螺軸１６の端部には、連結機構１０を構成する連動歯車１６ａが取り付けられており、この連動歯車１６ａには、ハンドル軸７ａの駆動歯車８ａに隣接して設けられた歯車８ｅが噛合している。これにより、ハンドル７を巻き取り回転操作すると、ハンドル軸７ａの回転が、駆動歯車８ａおよび連動歯車１６ａを通じて螺軸１６に伝わり、螺軸１６が回転駆動される。
【００２４】
螺軸１６の外周面には、螺旋溝１６ｂが形成され、この螺旋溝１６ｂには、釣糸案内体に設けられた図示しない摺動子が係合している。これにより、釣糸案内体のラインガイド１８は、螺軸１６が連動歯車１６ａによって回転駆動されることで、螺旋溝１６ｂに係合する図示しない摺動子を介して左右往復動するようになっている。
【００２５】
フレーム２は、図２（ｂ）に示すように、左右に間隔を空けて配置された側枠２ａ，２ｂと、側枠２ａ，２ｂを連結する複数の支柱２ｃと、側枠２ａ，２ｂの前側上部に架け渡されたサムレスト４と、を備え、これらが一体的に構成されてなる。なお、下部に設けられた支柱２ｃには、図２（ａ）（ｂ）に示すように、釣竿のリールシート（不図示）に装着される釣竿取付脚２ｃ１が設けられている。
側枠２ａ，２ｂの前端部２ａ１，２ｂ１（図２（ｂ）参照）には、フレーム２と別体で形成されたフロントカバー３０（図１，図２（ａ）参照）が取り付けられるようになっている。フロントカバー３０の詳細は後記する。
【００２６】
側枠２ａ，２ｂの前部には、図３（ｂ）に示すように、側面視でサムレスト４との間に切欠部２０ａが形成されている。ここで切欠部２０ａの形状は、側枠２ａおよび側枠２ｂにおいて側面視同形状であるので、以下では側枠２ａに形成される切欠部２０ａについて説明する。切欠部２０ａは、前端部２ａ１に連続する円弧部２１０を有する第１ガイド部２１と、この第１ガイド部２１よりも一段高く形成され、第１ガイド部２１に連続する円弧部２２０を有する第２ガイド部２２と、第２ガイド部２２に連続して鉛直に立ち上がる立上部２３と、立上部２３に連続して第２ガイド部２２に対向するように前方へ延出する上部２４と、により囲まれて形成されている。
第１ガイド部２１および第２ガイド部２２は、フレーム２にフロントカバー３０を装着する際の案内部として機能し、フロントカバー３０の腕部３２（図５各図参照、以下同じ）の下部を支持する。
【００２７】
立上部２３は、側枠２ａの外方（左方）に向けて突出する突出部２３０を有している。突出部２３０は、フロントカバー３０の後端部３３との合わせ面となる傾斜面としての側枠傾斜面２３１を有している。側枠傾斜面２３１は、補正手段として機能する部位であり、図２（ｂ）、図４（ａ）（ｂ）に示すように、側枠２ａの外方（左方）に向けて上り傾斜状とされたテーパ面で形成されている。なお、側枠傾斜面２３１は、前後方向に非テーパ状とされ、前後方向には傾斜しない面とされている。
このような側枠傾斜面２３１は、フレーム２にフロントカバー３０を組み付ける過程において、フロントカバー３０の後記する腕部傾斜面３３１（図５（ａ）（ｃ）参照、図６参照、以下同じ）に面接触し、フロントカバー３０の一対の腕部３２，３２の後端部３３（図５（ａ）参照、以下同じ）同士をその間隔が広がる方向に補正する役割をなす。
【００２８】
側枠傾斜面２３１の下端部２３３は、図４（ａ）（ｂ）に示すように、水平方向に切り欠かれており、フロントカバー３０の後端部３３に鉛直方向に対向する面となっている（図６参照）。
また、突出部２３０には、正面視三角形状の当接面２３２が形成されている。当接面２３２は、側枠傾斜面２３１の後部に連続しており、側枠傾斜面２３１に対して直交する面とされている。この当接面２３２は、フロントカバー３０の後端面３３ａ（図５（ｂ）（ｄ）参照）に対向しており、フロントカバー３０の後端部３３の位置決め部として機能する。
【００２９】
上部２４は、図４（ａ）（ｂ）に示すように、側枠２ａの外方（左方）に向けて膨出形成された膨出部２４０を有している。膨出部２４０は、フロントカバー３０の後端部３３の上面３３２（図５各図参照、図６参照）に対向しており、図３（ａ）に示すように、フロントカバー３０の上面３３２が当接して接続される。
【００３０】
フロントカバー３０は、釣糸案内部（ラインガイド１８）の強度的保護やリール本体１を握持した際の手の指を保護する役割、さらにはリール本体１の前部を補強する役割をなすものであり、リール本体１の前端部に取り付けられる。
フロントカバー３０は、図５各図に示すように、支柱部３１と、支柱部３１の両端部から後方へ延出する一対の腕部３２，３２と、を備え、図５（ａ）に示すように、平面視略コ字形状を呈している。そして、フロントカバー３０は、一対の腕部３２，３２の後端部３３同士を広げる方向に補正（弾性変形）することが可能な樹脂材を含む材料から形成されている。
【００３１】
支柱部３１は、図５（ａ）に示すように、前方へ向けて若干湾曲状に膨出しており、図１，図２（ａ）に示すように、側枠２ａ，２ｂの前端部２ａ１，２ｂ１（図２（ｂ）、図３（ｂ）参照）に亘るようにして配置される。なお、支柱部３１の上面３１ａ（図５（ａ）（ｃ）参照）は、平坦面とされ、釣糸放出時等の釣糸案内面としても機能する。
図５（ｂ）に示すように、支柱部３１と腕部３２との角部には、後方へ向けて延出する固定片３２０が設けられている。この固定片３２０は、フレーム２にフロントカバー３０を装着した状態で、図３（ｂ）に示すように、側枠２ａ（２ｂ）の外面に位置し、側枠２ａ（２ｂ）に設けられたねじ穴２ｄに図示しないねじにより固定される。なお、フロントカバー３０のねじによる固定は、この固定片３２０を介した固定のみである。
【００３２】
一対の腕部３２，３２は、図５各図に示すように、支柱部３１の両端部から後方斜め上方に延出しており、図３（ｂ）に示すように、切欠部２０ａの第１ガイド部２１、第２ガイド部２２、立上部２３および上部２４に囲まれるようにして側枠２ａ（２ｂ）とサムレスト４の間に配置される（収まる）ようになっている。
【００３３】
図５各図に示すように、腕部３２の後端部３３には、側枠２ａの側枠傾斜面２３１との合わせ面となる傾斜面としての腕部傾斜面３３１が形成されている（図６参照）。腕部傾斜面３３１は、補正手段として機能する部位であり、図６に示すように、側枠２ａの側枠傾斜面２３１に対応して、側枠２ａの内方（右方）に向けて下り傾斜状とされたテーパ面（前後方向には非テーパ状とされた面）で形成されている。
このような腕部傾斜面３３１は、フレーム２にフロントカバー３０を組み付ける過程において、側枠２ａ（２ｂ）の側枠傾斜面２３１に面接触することで、後端部３３同士の間隔を広げる方向に補正するための面として機能する。
【００３４】
腕部傾斜面３３１の下端部３３３は、側枠２ａの内方（右方）に向けて水平に延出しており、側枠２ａの側枠傾斜面２３１の下端部２３３に対向する面を有している。このような下端部３３３は、フロントカバー３０の装着時に側枠傾斜面２３１の下端部２３３に当接して、側枠傾斜面２３１に対する腕部傾斜面３３１の滑りを規制する。この規制により、必要以上に後端部３３が広がることが規制され、フロントカバー３０の後端部３３同士の間隔が所定の間隔（フロントカバー３０がフレーム２に対して隙間や段差を生じることなく見栄えのよい状態で、かつ安定した状態で装着固定される間隔）に保持されるようになっている。
【００３５】
腕部３２の後端部３３の上面３３２は、平らに形成されており、フロントカバー３０をフレーム２に装着した状態で、切欠部２０ａの上部２４の膨出部２４０に当接して密着するようになっている。
また、腕部３２の後端部３３には、切欠部２０ａの立上部２３の当接面２３２に当接する後端面３３ａが形成されている。
【００３６】
図３（ｂ）に示すように、腕部３２の下部３２ａ（図５（ｂ）参照）は、側枠２ａ（２ｂ）の第１ガイド部２１および第２ガイド部２２に沿って下方へ延出しており、第１ガイド部２１および第２ガイド部２２の外方（左方）縁部を覆う状態に装着されるようになっている。なお、腕部３２の下部３２ａは、左側板３ａを側枠２ａに装着することにより、左側板３ａの前部によって外方（左外方）から押さえられる状態に保持され、また、これとは反対側において、右側板３ｂを側枠２ｂに装着することにより、右側板３ｂの前部によって外方（右外方）から押さえられる状態に保持される。
このような保持と相俟って、腕部３２は、前記した腕部傾斜面３３１の下端部３３３による滑り規制、当接面２３２による後方への移動規制、および膨出部２４０による上方への移動規制によって、フレーム２に対して移動不能に保持されるようになっている。
【００３７】
次に、フレーム２に対してフロントカバー３０を装着する際の作用について説明する。なお、ここでは、フロントカバー３０の腕部３２の後端部３３同士の間隔が所定の幅よりも狭まる方向に変形している場合について説明する。
フレーム２に対してフロントカバー３０を装着する際は、図７に示すように、フレーム２の前側から切欠部２０ａにフロントカバー３０を近付け、フロントカバー３０の一対の腕部３２，３２を切欠部２０ａの第１ガイド部２１および第２ガイド部２２に沿って後方へ移動させる。
その後、腕部３２，３２の後端部３３同士を若干広げるようにして、それぞれの腕部傾斜面３３１，３３１を切欠部２０ａの立上部２３の側枠傾斜面２３１，２３１にかかるように合わせ、フロントカバー３０を切欠部２０ａの奥まで押し込む。そうすると、腕部傾斜面３３１，３３１と側枠傾斜面２３１，２３１とが面接触し、腕部３２，３２の後端部３３同士の間隔が広げられた状態で所定の間隔とされた状態で保持される。これにより、面接触を利用して後端部３３同士を所定の間隔に押し広げることができる。
【００３８】
なお、側枠傾斜面２３１，２３１は、フレーム２の左右側方に向けてそれぞれ上り傾斜状に形成されており、面接触によって、腕部傾斜面３３１，３３１を左右側方に押し広げつつ、一対の腕部３２，３２の後端部３３，３３を第２ガイド部２２に向けて押し付けるように作用するので、後端部３３，３３は、第２ガイド部２２に対して密着するようになり、第２ガイド部２２に対して後端部３３，３３が押圧固定されることとなる。
これによって、後端部３３同士の間隔が狭まる方向に移動することが規制されることとなり、後端部３３同士の間隔が所定の間隔に保持される。
したがって、フロントカバー３０の装着後に、フレーム２（側枠２ａ，２ｂ）に対する後端部３３の位置ずれを生じることがない。
【００３９】
以上説明した本実施形態の魚釣用リールによれば、後端部３３同士が所定の間隔に補正された状態で側枠２ａ，２ｂ間にフロントカバー３０が装着されるので、仮にフロントカバー３０に変形が生じていたとしても、その変形を補正しつつフロントカバー３０を側枠２ａ，２ｂ間に好適に装着することができる。したがって、フロントカバー３０と側枠２ａ，２ｂとの間に隙間や段差が生じ難くなり、フロントカバー３０を側枠２ａ，２ｂに安定した状態で装着固定することができる。これにより、見栄えがよく製品精度の高い魚釣用リールが得られる。
特に、フロントカバー３０の腕部３２からサムレスト４の基端部にかけて連続した面（傾斜面）が形成されるとともに、左側板３ａからフロントカバー３０、さらにはサムレスト４にかけて滑らかに連続した面を容易に形成することができるので、握時し易く、操作フィーリングに優れた魚釣用リールが得られる。
【００４０】
また、装着する際に、フロントカバー３０の腕部３２の後端部３３同士の間隔が狭まる方向に変形していたとしても、側枠傾斜面２３１と腕部傾斜面３３１との面接触により、後端部３３同士の間隔を広げる方向に好適に補正することができ、フロントカバー３０を側枠２ａ，２ｂ間に好適に装着することができる。
また、一対の腕部３２，３２は、後端部３３にて間隔が広げられるので、所定の間隔に補正することによる腕部３２，３２の応力を最小限とすることができる。これにより、長期的に安定した状態でフロントカバー３０を側枠２ａ，２ｂに装着固定することができる。また、長期間の使用によるフロントカバー３０の反り等も生じ難い。
また、補正手段は、側枠傾斜面２３１とこれに対応する腕部傾斜面３３１とを有してなるので、後端部３３同士の間隔を広げる方向の補正がスムーズに行われるようになり、フレーム２に対するフロントカバー３０のスムーズな装着が実現される。
また、フロントカバー３０の腕部３２の変形を補正することができるので、フロントカバー３０を比較的複雑な形状とすることもでき、デザインの自由度を図ることができる。
【００４１】
また、側枠傾斜面２３１とこれに対応する腕部傾斜面３３１は、テーパ面とされているので、これらの合わせ面による面接触により後端部３３同士の間隔をスムーズに広げることができ、フロントカバー３０の装着がよりスムーズとなる。
【００４２】
前記実施形態では、一対の腕部３２，３２の後端部３３，３３と、側枠２ａ，２ｂとの合わせ面の全てに傾斜面（腕部傾斜面３３１、側枠傾斜面２３１）を設けたが、本発明は、これに限られることなく、左右の片側においてのみ傾斜面を設けてもよい。
また、一対の腕部３２，３２の後端部３３，３３の合わせ面にのみ傾斜面（腕部傾斜面３３１）を設けてもよく、また、片側の腕部３２の後端部３３の合わせ面にのみ傾斜面（腕部傾斜面３３１）を設けてもよい。これらの場合において、対向する側となる側枠２ａ（側枠２ｂ）の合わせ面には、例えば、腕部傾斜面３３１に当接して面上を案内される突起部等を設けることでも、一対の後端部３３同士の間隔を所定の間隔に補正することができる。
【００４３】
さらに、側枠２ａ，２ｂの合わせ面にのみ傾斜面（側枠傾斜面２３１）を設けてもよく、また、片側の側枠２ａ（または側枠２ｂ）の合わせ面にのみ傾斜面（側枠傾斜面２３１）を設けてもよい。これらの場合において、対向する側となる腕部３２の後端部３３の合わせ面には、例えば、側枠傾斜面２３１に当接して面上を案内される突起部等を設けることでも、一対の後端部３３同士の間隔を所定の間隔に補正することができる。
【００４４】
なお、フロントカバー３０は、一対の腕部３２，３２の後端部３３同士を広げる方向に補正（弾性変形）することが可能な金属材料から形成されていてもよい。
【００４５】
また、前記実施形態において、側枠傾斜面２３１は、前後方向に非テーパ状とされ、前後方向には傾斜しない面とされたものを示したが、これに限られることはなく、前方から後方へ向けて広がるように形成されたテーパ面を有するものとし、このテーパ面に案内される傾斜面や突起を腕部３２の合わせ面に設けてもよい。
このようなテーパ面を有する構成とすることにより、フロントカバー３０の装着過程において、テーパ面に腕部３２の傾斜面や突起が案内されて、腕部３２の後端部３３同士をその間隔が広がるように補正することができる。
【００４６】
また、前記実施形態では、側枠傾斜面２３１は、前後方向に非テーパ状とされ、前後方向には傾斜しない面とされたものを示したが、これに限られることはなく、側枠傾斜面２３１の前部側を面取りして、フロントカバー３０の装着過程において、腕部傾斜面３３１が側枠傾斜面２３１上に乗り上げるようにして面接触するように構成してもよい。
このように構成することによって、装着の際に腕部３２の後端部３３同士を若干広げるという操作が不要となったり、より簡易となったりするので、装着操作がより行い易くなる。
【符号の説明】
【００４７】
１      リール本体
２      フレーム
２ａ，２ｂ    側枠
７      ハンドル
１８    ラインガイド
３０    フロントカバー
３１    支柱部
３２    腕部
３３    後端部
【図１】
2014166151.tif 000003
【図２】
2014166151.tif 000004
【図３】
2014166151.tif 000005
【図４】
2014166151.tif 000006
【図５】
2014166151.tif 000007
【図６】
2014166151.tif 000008
【図７】
2014166151.tif 000009